(57)【特許請求の範囲】
【請求項１】
筺体内に複数のレールを並設してなる本体筺体と、該レールを介して引き出し可能に取り付けられる複数の小型ユニットと、前記小型ユニットを取り出すためのハンドルとを備えた電子装置であって、
前記ハンドル部は、前記小型ユニットに形成される鍵穴に挿入可能な鍵部と、該鍵部の端部を出没させるロック解除ボタンとを備え、
前記小型ユニットは、該小型ユニットを前記本体筺体内の所定の位置に固定するロック機構部を備え、
前記ロック機構部は、前記小型ユニットの前面に設けられる前記鍵穴と、該小型ユニットの外装を構成するユニット筺体の周側面に出没可能に取り付けられる固定ツメと、前記鍵穴に挿入される前記鍵部の出没動作にともなって前記固定ツメを出没させる連結機構部とを備え、
前記連結機構部は、前記鍵部の回転にともなって、前記鍵部を前記鍵穴内に固定することを特徴とする電子装置。
【請求項２】
前記請求項１記載の電子装置において、
前記ハンドルは、グリップの長手方向の一方に前記鍵部と前記ロック解除ボタンが対向して配置されることを特徴とする電子装置。
【請求項３】
前記請求項１記載の電子装置において、
前記小型ユニットは、前記ハンドルが前記小型ユニットに連結された状態での引き出し動作にともなってロック状態を解除する第２のロック機構部を備えていることを特徴とする電子装置。
【発明の詳細な説明】
【０００１】
【発明の属する技術分野】
本発明は、複数の小型ユニットを筐体内に並設して、一つの大型装置を構成するコンピュータシステムの筐体構造に関するものであり、具体的にはラックマウント構造の磁気デイスク装置に関する。
【０００２】
【従来の技術】
従来より、コンピュータシステムや通信システムを構成する大型の装置は、筐体内に複数の小型ユニットを並設して大型装置を構成している。これら各装置は、筐体内を複数の仕切り棚で仕切り、この仕切り棚に設けたガイドレールに沿って前記小型ユニットを着脱可能に設けている。一般に、これらの構造はラックマウント構造とよばれ、磁気デイスク装置を内蔵した複数の小型ユニットから構成される大容量の記憶装置では一般的な構造となっている。これら小型ユニットは、その前面にハンドルが形成され、隣接されるロック解除ボタンを操作して引出すことにより、メンテナンスが容易な構造となっている。
【０００３】
【発明が解決しようとする課題】
近年、記憶密度の向上により前記小型ユニットもまた小型化が進んでいる。この小型化にともない、その前面にハンドルを形成しても手が入るスペースを確保することが困難となっている。
【０００４】
そこで、この発明の目的は、小型ユニットを容易に着脱することができる電子装置を提供することにある。
【０００５】
【課題を解決するための手段】
この発明では、前記目的を達成するために、筺体内に複数のレールを並設してなる本体筺体と、該レールを介して引き出し可能に取り付けられる複数の小型ユニットと、前記小型ユニットを取り出すためのハンドルとを備えた電子装置であって、前記ハンドル部は、前記小型ユニットに形成される鍵穴に挿入可能な鍵部と、該鍵部の端部を出没させるロック解除ボタンとを備え、前記小型ユニットは、該小型ユニットを前記本体筺体内の所定の位置に固定するロック機構部を備え、前記ロック機構部は、前記小型ユニットの前面に設けられる前記鍵穴と、該小型ユニットの外装を構成するユニット筺体の周側面に出没可能に取り付けられる固定ツメと、前記鍵穴に挿入される前記鍵部の出没動作にともなって前記固定ツメを出没させる連結機構部とを備え、前記連結機構部は、前記鍵部の回転にともなって、前記鍵部を前記鍵穴内に固定するように構成する。
【０００６】
【発明の実施の形態】
以下、図１から図５を参照して、この発明に係る電子装置を詳細に説明する。図１はこの電子装置に係る記憶装置の装置展開図、図２は記憶装置の筐体内に収納される小型ユニットの装置外観図であり、（ａ）図が正面図、（ｂ）図が右側面図、図３はハンドルの外観図であり、（ａ）図が背面図、（ｂ）図が左側面図、（ｃ）が上面図、図４は記憶装置の動作機構を示す断面図、図５はハンドルの操作動作を示す正面図である。
【０００７】
先ず、図１を参照して、この実施の形態に係る記憶装置の概略構造を説明する。符号１で総括的に示す記憶装置は、記憶装置筐体１００と、この記憶装置筐体１００に複数個着脱可能に収納される小型ユニット１０とを含んで構成される。前記記憶装置筐体１００は、この前記記憶装置筐体１００の後方を構成する後部本体筐体１０１と、この後部本体筐体１０１の前部を構成する前部本体パネル１０２とを含んで構成される。前記後部本体筐体１０１と前部本体パネル１０２は鋼板で形成され、その内部に装置収納空間１０３を備えている。また、前記前部本体パネル１０２は、前記後部本体筐体１０１に開閉可能に取り付けられ、この前記前部本体パネル１０２を開閉することにより小型ユニット１０のメンテナンスを行うことができる。
【０００８】
前記装置収納空間１０３は、仕切り棚１０４によってその内部を上下に仕切ることができる。更にまた、この仕切り棚１０４によって仕切られた空間は仕切り板１０５により左右に仕切ることができる。この実施の形態では、第１仕切り棚１０４Ａと第２仕切り棚１０４Ｂにより、前記装置収納空間１０３内を上下に３分割し、上段装置収納空間１０３Ａと中段装置収納空間１０３Ｂを前記小型ユニット１０の収納空間とし、下段装置収納空間１０３Ｃを電源部１０６や制御処理部１０７などの収納空間としている。
【０００９】
また、この実施の形態では、前記小型ユニット１０の横幅に合わせて前記上段装置収納空間１０３Ａと中段装置収納空間１０３Ｂを前記仕切り板１０５により左右に分割している。これにより、前記小型ユニット１０をこの仕切り棚１０４と仕切り板１０５で仕切られた１つの小型ユニット収納部１０３Ｄに収納して、隙間なく前記上段装置収納空間１０３Ａと中段装置収納空間１０３Ｂ内に収めることができる。そして、前記１つの小型ユニット収納部１０３Ｄには、小型ユニット１０の着脱用のガイドレール１０８が設けられている。もちろん、前記仕切り板１０５を設けることなく、前記ガイドレール１０８のみでもよい。
【００１０】
また、前記１つの小型ユニット収納部１０３Ｄの内部背面壁には第１端子部１０９が設けられ、前記小型ユニット１０の背面に設けた第２端子部１１と小型ユニット１０の装着時に接続して電源及び信号の接続を行うことができる。また、この１つの小型ユニット収納部１０３Ｄの前部上下面、即ち、後部本体筐体１０１の天井面または仕切り棚１０４には、小型ユニット１０を固定するための第１凹部１１０と第２凹部１１１が設けられる。
【００１１】
一方、前記小型ユニット１０は、その筐体を、鋼板材料で構成される後部小型筐体１２と、この後部小型筐体１２の前部を構成する樹脂材料で形成される前部小型筐体１３とを有して構成される。この小型ユニット１０は、その内部に図示しない磁気デイスク装置を備えている。前記前部小型筐体１３は、両側面下方に設けられるヒンジ機構１４により、上下端部を揺動可能に前記後部小型筐体１２に取り付けられる。そして、前記前部小型ユニット１３の上下面には、前記第１凹部１１０と第２凹部１１１と嵌合する第１固定ツメ１５及び第２固定ツメ１６が設けられる。前記第１固定ツメ１５は前部小型筐体１３の内部に設けらロック機構１７（図４参照）により出没可能に設けられている。また、前記第２固定ツメ１６は固定して設けられる。この第２固定ツメ１６は、前記第１固定ツメ１５の固定が解除され、前記小型ユニット１０が前方に引き出される動作に連動して、前記前部小型筐体１３が揺動する動作にともなって、この第２固定ツメ１６と第２凹部１１１との嵌合が外れるように動作する。
【００１２】
また、前記小型ユニット１０の前面には、前記ロック機構１７に近接して、このロック機構１７の固定状態を解除する鍵穴１８が設けられる。そして、このロック機構１７の固定状態は、前記鍵穴１８にハンドル５０の鍵部５１を挿入してこのハンドル５０を回転し、ハンドル５０に設けたよる固定解除ボタン５２を押下することで解除することができる。前記ハンドル５０は棒状のグリップ部５３と、このグリップ部５３の長手方向に直交する前記鍵部５１とからなり、前記鍵部５１の長手方向の延長線上に前記固定解除ボタン５２が設けられ、この固定解除ボタン５２の押下により前記鍵部５１の先端に設けた押圧部５４が突出する構造を備えている。更に、前記鍵部５１の先端には横方向に張り出した突起部５５が設けられる。この突起部５５は、前記鍵部５１が鍵穴１８に挿入され、前記ハンドル５０の回転動作で前記鍵穴１８と鍵部５１が小型ユニット１０のスライド方向において固定される。これによって、ハンドル５０を引き出す動作にともなって小型ユニット１０を筐体１００から引き出すことができる。
【００１３】
図２において、この実施の形態では、前記鍵穴１８を小型ユニット１０の正面上方に設けている。これにより、従来の小型ユニットでは、その前面に固定ハンドルを設けるために開口率が低かった冷却用吸気口１９を大きく取ることができるので、冷却効果を高めることができる。
【００１４】
また、前記鍵穴１８は前記鍵部５１の突起部５５を通過させる凹溝１８Ａを斜めに設けている。このため、図５に示すように、鍵穴１８に鍵部５１を挿入する際は鍵部５１を斜めに挿入し、ハンドル５０を回転させて小型ユニット１０を引き出すあるいは装着する際には、ハンドル１０のグリップ５３を垂直な姿勢で行うようにしている。これにより、着脱時に力の入り易い姿勢で行うことができる。
【００１５】
図３において、前記ハンドル５０のグリップ５３は断面が隅丸四角形状の握り易い形状とし、その長手方向の一方に断面が円形の棒状の前記鍵部５１と前記固定解除ボタン５２が対向する面に配置される。このため、前記固定解除ボタン５２をおや指で操作しながらグリップ部５３をしっかり保持することができる。
【００１６】
図４において、前記ロック機構部１７は、前記前部小型筐体１３に回転軸２０で回転可能に取り付けられる屈曲回転部２１と、前記前部小型筐体１３に出没可能に取り付けられる前記第１固定ツメ１５と、この第１固定ツメ１５を常に突出状態に作用するバネ部材２２とを含んで構成される。前記屈曲回転部２１の一端は、前記押圧部５４と当接する圧受部２１Ａが設けられ、他の一端にはスライド溝２１Ｂが設けられて、このスライド溝２１Ｂに前記第１固定ツメ１５の内部端部がスライド可能に取り付けられる。
【００１７】
次に、図４、図５を参照して小型ユニット１０の着脱動作を説明する。この実施の形態では、筐体１００内に収納された小型ユニット１０を取り外す際には、図５に示すように、前記鍵穴１８に斜め姿勢の鍵部５１を挿入し、これを回転してハンドル５０を垂直な姿勢とする。この挿入して回転させる動作で、前記鍵部５１の先端の突起部５５が前記前部小型本体部１３の内部のリブ１１２に固定される。
【００１８】
この状態において、前記ハンドル５０の固定解除ボタン５２は、内部の図示しないバネにより、常に、前記鍵部５１の先端の押圧部５４を鍵部５１内に収納するようになっている。この状態から、固定解除ボタン５２を押下すると、内部の図示しないリンク棒により前記鍵部５１の先端の押圧部５４を突出させる。前記押圧部５４は突出動作により前記屈曲回転部２１の圧受部２１Ａを奥行き方向に押し付けるように動作して、前記屈曲回転部２１を回転軸２０を中心に回転させる。
この回転動作により、前記屈曲回転部２１の他の一端に設けた前記スライド溝２１Ｂと前記第１固定ツメ１５の内部端部とのスライド結合部２１Ｃにより、第１固定ツメ１５を筐体内に収納するように動作する。前記第１固定ツメ１５は前記バネ部材２２により常に突出して前記第１凹部１１０と嵌合するように動作しているので、前記解除動作により、前記嵌合を外して固定状態を解除することができる。
【００１９】
この状態において、前記鍵部５１と鍵穴１８は嵌合して固定されているので、この固定を利用して、前記ハンドル５０を介して小型ユニット１０を引き出すことができる。この引き出す際には、前部小型筐体１３の第２凹部１１１と第２固定ツメ１６の嵌合は外れていないので、前記引き出し動作によりこの小型ユニット１０を前記ヒンジ機構部１４を介して引き出す方向に揺動するように回転させる。この回転動作により、前記前部小型筐体１３の下部に設けた第２凹部１１１と第２固定ツメ１６の嵌合が外れ、小型ユニット１０を筐体１０１から引き出すことができる。なお、小型ユニット１０の装着は前記動作の逆を行えばよい。  また、この実施の形態では、前部小型筐体１３の上下の嵌合により、この小型ユニット１０を安定して保持することができる。しかし、１つの嵌合、即ち前記第１固定ツメ１５の嵌合のみで小型ユニット１０を固定してもよい。
【００２０】
更にまた、この実施の形態では、前記鍵穴１８と同様な鍵穴を前記前部本体パネル１２の開放端側に設け、この鍵穴にハンドル５０の鍵部５１を挿入することにより、前記前部本体パネル１２の開閉を可能にするようにするとよい。このようにすれば、一つのハンドル５０により、記憶装置筐体１００の開閉と、この開閉にともなう小型ユニット７０の装着を行うことができる。
【００２１】
なお、図１において、前記前部本体パネル１０２と後部本体筐体１０１に、図示しない通風穴を設けることにより、小型ユニット７０の大きな冷却用吸気口１９と合わせて効率的な冷却効果を得ることができる。
【００２２】
また、この実施の形態では、１つの実施の形態として、前記ロック機構部を明らかにしたが、これに限定されるものではなく、同様な左様があれば異なる構造のロック機構部を採用してもよい。
【００２３】
【発明の効果】
本発明によれば、小型ユニットを容易に着脱することができる電子装置を提供することができる。
【図面の簡単な説明】
【図１】この電子装置に係る記憶装置の装置展開図である。
【図２】記憶装置の筐体内に収納される小型ユニットの装置外観図である。
【図３】ハンドルの外観図である。
【図４】記憶装置の動作機構を示す断面図である。
【図５】ハンドルの操作動作を示す正面図である。
【符号の説明】
１…記憶装置、１０…小型ユニット、１１…第２端子部、１２…後部小型筐体、１３…前部小型筐体、１４…ヒンジ機構、１５…第１固定ツメ、１６…第２固定ツメ、１７…ロック機構、１８…鍵穴、１８Ａ…凹溝、１９…冷却用吸気口、２０…回転軸、２１…屈曲回転部、２１Ａ…圧受部、２１Ｂ…スライド溝、２２…バネ部材、５０…ハンドル、５１…鍵部、５２…固定解除ボタン、５３…グリップ部、５４…押圧部、５５…突起部、１００…記憶装置筐体、１０１…後部本体筐体、１０２…前部本体パネル、１０３…装置収納空間、１０３Ａ…上段装置収納空間、１０３Ｂ…中段装置収納空間、１０３Ｃ…下段装置収納空間、１０３Ｄ…小型ユニット収納部、１０４…仕切り棚、１０４Ａ…第１仕切り棚、１０４Ｂ…第２仕切り棚、１０５…仕切り板、１０６…電源部、１０７…制御処理部、１０８…ガイドレール、１０９…第１端子部、１１０…第１凹部、１１１…第２凹部、１１２…リブ。
【図１】
0004082047.tif 000002
【図２】
0004082047.tif 000003
【図３】
0004082047.tif 000004
【図４】
0004082047.tif 000005
【図５】
0004082047.tif 000006